(57)【特許請求の範囲】
【請求項１】
複数の糸を用いて縫製を行うミシンにおける各糸の糸張力を一つの駆動源の駆動又は手動操作により同時に調整する糸張力調整機構と、
各糸の張力を手動操作で個別に微調節する糸張力微調整機構と、
前記糸張力微調整機構により各糸に付与した張力を基準値に復帰させるリセット機構と、を備えるミシンの糸調子装置において、
前記糸張力調整機構のみで各糸に張力を付与する動作と、前記糸張力調整機構の動作時に当該糸張力調整機構の動作に連動して前記糸張力微調整機構による各糸の張力を前記リセット機構により基準値に復帰させる動作と、を交互に行い、
各糸に対応する複数の糸張力調整カムが設けられ、前記糸張力調整機構の動作により回転する第１のカム軸を備え、
前記糸張力微調整機構は、回転操作により糸に付与する張力を調整する微調整ダイヤルを備え、
前記リセット機構は、
前記糸張力調整機構の動作により前記第１のカム軸を介して回転する第２のカム軸と、
前記第２のカム軸に設けられ、外側に向けて突出する突起部を有するリセットカムと、
前記リセットカムの外縁を二方向から挟み込むようにそれぞれ設けられ、互いの一端部が回転自在に連結されると共に他端部が前記微調整ダイヤルに係合されたリセットレバーと、を備え、
前記リセットレバーは、前記リセットカムの回転により前記突起部が当接することで前記微調整ダイヤルを動かして前記糸張力微調整機構による各糸の張力を基準値に復帰させ、
前記微調整ダイヤルがリセットされた位置にある場合に、前記微調整ダイヤルに形成された前記リセットレバーとの当接面は、レバーの動作範囲内に位置しない形状とし、
前記糸張力調整機構の駆動を減速して前記第２のカム軸に伝達する減速機構を設け、
前記減速機構は、
前記第１のカム軸に設けられた第１のリセットギヤと、
前記第２のカム軸に設けられ、前記第１のリセットギヤに噛み合う第２のリセットギヤと、を備えることを特徴とするミシンの糸調子装置。
【発明の詳細な説明】
【技術分野】
【０００１】
本発明は、ミシンの糸にかける張力を調節するミシンの糸調子装置に関する。
【背景技術】
【０００２】
綺麗な縫い目を形成して被縫製物の縫製品質を向上するためには、糸に適正な張力を与える必要がある。糸に適正な張力を与えるために、糸にかかる張力を調節する糸調子装置がある。
例えば、オーバーロックミシンにおいては、複数の糸が用いられることから、各糸の張力バランスを保つことが重要であり、各糸に糸調子機構を設け、それぞれの糸に適正な張力を同時にかけることができる糸調子装置がある（例えば、特許文献１参照。）。
また、このような糸調子装置には、各糸にかかる張力の微調整を行う微調整機構が設けられているものもある。
各糸への糸張力は、先ず糸調子機構により縫い目の種類などに応じた基準値がかけられる。糸張力の基準値は、例えば選択された縫い目を縫製する場合によく用いられる糸に合わせた値や、選択された縫い目に用いる糸張力の範囲の中心値などに設定される。
糸張力の基準値では、期待した縫い目の品質が得られない場合は、微調整機構により糸張力を基準値から加減する。このため微調整機構は調整範囲の中心（原点位置）に位置するときに糸張力の基準値をかけられるように設けられている。また微調整は各糸毎に行う必要があるため、各糸に同時に糸張力をかける糸調子機構とは独立して調整可能となっている。
糸調子機構により各糸にかかる糸張力は、微調整機構が調整範囲の中心（原点位置）に位置するときに糸張力の基準値になるように設定されているため、別の縫い目の種類で縫製を行うために、各糸の糸張力を変更し、糸調子調整の開始点である基準値にするためには、糸調子機構による糸調子の変更と同時に、微調整機構による糸張力を基準値に復帰させる（リセットする）必要がある。
そこで、糸調子機構による糸調子の変更に連動させて微調整機構をリセットすることができる機構が知られている（例えば、特許文献２，３参照。）。
【０００３】
具体的には、図１３に示すように、糸張力調整装置１００は、作業者がダイヤル１０１を操作するとダイヤル軸１０２に固定されたダイヤル軸ギヤ１０３が回転し、カム軸ギヤ１０４とカム軸１０５及びカム１０６とがそれに連動して回転する。カム１０６のカム面１０６ａがバネ受け部材１０７と接触しておりカム１０６が回転してカム面１０６ａが軸方向に変移すると、それにあわせてバネ受け部材１０７の位置が軸方向に変移する。バネ受け部材１０７とバネ受け１０９の間に対称に配置された一組の皿１０８，１０８はバネ１１０とバネ受け１０９によってバネ受け部材１０７に押し当てられている為、バネ受け部材１０７の位置が変移するとバネ１１０による皿１０８への圧力が変化する。皿１０８の圧力が変化する事により、皿１０８に挟まれた糸の張力が変化する。このとき、カム軸１０５を共有する上記同様の機構が複数同時に作動して複数の糸張力を同時に設定する。
【０００４】
また、各糸の糸張力を微調整する場合、作業者が微調整ダイヤル１１１を回転させると中間ギヤ１１２、微調整ギヤ１１３が連動し回転する。微調整ギヤ１１３の内径はメスネジとなっており、糸調子軸１１４に切られたオスネジ部にねじ込まれている為、微調整ギヤ１１３が回転すると微調整ギヤ１１３自体が軸方向に移動することになる。これによって、微調整ギヤ１１３によりバネ受け１０９及び皿１０８に押えつけられているバネ１１０の圧縮量が変化する為、皿１０８に掛かる圧力が変化し、糸張力が調整される。
【０００５】
また、糸張力の設定を切り替える度にカム１０６の側面に配置された突起部が、リセットレバー（上）１１５及びリセットレバー（下）１１６の接触子部分ｂを押し上げ、リセットレバー(上)１１５・(下)１１６が図示のｄ方向へ作動する。このとき、微調整ダイヤル１１１が原点位置にない場合は微調整ダイヤル１１１の突起部ｃをリセットレバー(上)１１５・(下)１１６が原点位置に押し戻す事になり、微調整ダイヤル１１１及び微調整機構が原点位置にリセットされる。微調整機構のリセットが完了するとリセットレバー(上)１１５・（下）１１６は、接触子部分ｂがカム１０６の突起部から外れリセットばね１１７によりリセット動作前の状態に戻る。
【特許文献１】実開平４−１３０７６９号公報
【特許文献２】特開平１１−２０７０７１号公報
【特許文献３】特許第２６８６１８８号公報
【発明の開示】
【発明が解決しようとする課題】
【０００６】
しかし、図１３に示す機構においては、糸調子機構と微調整機構は常に連動するため、微調整機構についてリセットしたくない場合があったとしても、糸調子機構と微調整機構の連動を切り離すことはできなかった。
【０００７】
本発明は、上記課題を解決するためになされたものであり、糸調子機構と微調整機構との連動・非連動を任意に選択することができるミシンの糸調子装置を提供することを目的とする。
【課題を解決するための手段】
【０００８】
請求項１に記載の発明は、複数の糸を用いて縫製を行うミシンにおける各糸の糸張力を一つの駆動源の駆動又は手動操作により同時に調整する糸張力調整機構と、各糸の張力を手動操作で個別に微調節する糸張力微調整機構と、前記糸張力微調整機構により各糸に付与した張力を基準値に復帰させるリセット機構と、を備えるミシンの糸調子装置において、前記糸張力調整機構のみで各糸に張力を付与する動作と、前記糸張力調整機構の動作時に当該糸張力調整機構の動作に連動して前記糸張力微調整機構による各糸の張力を前記リセット機構により基準値に復帰させる動作と、を交互に行い、各糸に対応する複数の糸張力調整カムが設けられ、前記糸張力調整機構の動作により回転する第１のカム軸を備え、前記糸張力微調整機構は、回転操作により糸に付与する張力を調整する微調整ダイヤルを備え、前記リセット機構は、前記糸張力調整機構の動作により前記第１のカム軸を介して回転する第２のカム軸と、前記第２のカム軸に設けられ、外側に向けて突出する突起部を有するリセットカムと、前記リセットカムの外縁を二方向から挟み込むようにそれぞれ設けられ、互いの一端部が回転自在に連結されると共に他端部が前記微調整ダイヤルに係合されたリセットレバーと、を備え、前記リセットレバーは、前記リセットカムの回転により前記突起部が当接することで前記微調整ダイヤルを動かして前記糸張力微調整機構による各糸の張力を基準値に復帰させ、前記微調整ダイヤルがリセットされた位置にある場合に、前記微調整ダイヤルに形成された前記リセットレバーとの当接面は、レバーの動作範囲内に位置しない形状とし、前記糸張力調整機構の駆動を減速して前記第２のカム軸に伝達する減速機構を設け、前記減速機構は、前記第１のカム軸に設けられた第１のリセットギヤと、前記第２のカム軸に設けられ、前記第１のリセットギヤに噛み合う第２のリセットギヤと、を備えることを特徴とする。
【０００９】
請求項１に記載の発明によれば、糸張力調整機構のみで各糸に張力を付与する動作を行う場合には、糸張力調整機構と糸張力微調整機構とが非連動となり、糸張力調整機構の動作時に当該糸張力調整機構の動作に連動して糸張力微調整機構による各糸の張力をリセット機構により基準値に復帰させる動作を行う場合には、糸張力調整機構と糸張力微調整機構とが連動となる。
そして、これらの動作を交互に行うことにより、糸張力調整機構と糸張力微調整機構との連動・非連動を任意に選択することができる。
【００１１】
また、糸張力調整機構の動作により第２のカム軸が回転すると、リセットカムも回転する。ここで、リセットカムの外縁にはリセットレバーが設けられているので、リセットカムの突起部がリセットレバーに触れると、リセットレバーは一端部を中心に回転し、微調整ダイヤルを動かして糸張力微調整機構による各糸の張力を基準値に復帰させる。
これにより、リセットカムの突起部がリセットレバーに当接したときにだけリセットレバーを動かして微調整ダイヤルを動かすことができる。よって、突起部の位置を設定することにより、糸張力調整機構と糸張力微調整機構との連動・非連動を任意に選択することができる。
【００１３】
また、リセットレバーにより微調整ダイヤルがリセット位置に戻された後に、リセットレバー同士が互いに離間する方向に移動しても微調整ダイヤルの当接面と干渉しないため、リセットレバーの動作範囲の調整が粗くてもよく、組付け作業が容易となる。
【００１５】
また、減速機構は糸張力調整機構の駆動を減速して第２のカム軸に減速された駆動を伝達するため、糸張力調整機構と第２のカム軸を同一の軸で駆動させる必要がなくなり、糸張力調整機構の動作トルクを軽減することができ、操作性を向上することができる。
【発明の効果】
【００１６】
請求項１に記載の発明によれば、糸張力調整機構のみで各糸に張力を付与する動作を行う場合には、糸張力調整機構と糸張力微調整機構とが非連動となり、糸張力調整機構の動作時に当該糸張力調整機構の動作に連動して糸張力微調整機構による各糸の張力をリセット機構により基準値に復帰させる動作を行う場合には、糸張力調整機構と糸張力微調整機構とが連動となる。
そして、これらの動作を交互に行うことにより、糸張力調整機構と糸張力微調整機構との連動・非連動を任意に選択することができる。
【００１７】
また、糸張力調整機構の動作により第２のカム軸が回転すると、リセットカムも回転する。ここで、リセットカムの外縁にはリセットレバーが設けられているので、リセットカムの突起部がリセットレバーに触れると、リセットレバーは一端部を中心に回転し、微調整ダイヤルを動かして糸張力微調整機構による各糸の張力を基準値に復帰させる。
これにより、リセットカムの突起部がリセットレバーに当接したときにだけリセットレバーを動かして微調整ダイヤルを動かすことができる。よって、突起部の位置を設定することにより、糸張力調整機構と糸張力微調整機構との連動・非連動を任意に選択することができる。
【００１８】
また、リセットレバーにより微調整ダイヤルがリセット位置に戻された後に、リセットレバー同士が互いに離間する方向に移動しても微調整ダイヤルの当接面と干渉しないため、リセットレバーの動作範囲の調整が粗くてもよく、組付け作業が容易となる。
【００１９】
また、減速機構は糸張力調整機構の駆動を減速して第２のカム軸に減速された駆動を伝達するため、糸張力調整機構と第２のカム軸を同一の軸で駆動させる必要がなくなり、糸張力調整機構の動作トルクを軽減することができ、操作性を向上することができる。
【発明を実施するための最良の形態】
【００２０】
＜ミシンの糸調子装置の構成＞
以下、図面を参照して本発明の実施形態について説明する。なお、実施形態においては、複数の糸を用いて縫製を行うオーバーロックミシンを例に挙げて説明する。
図１に示すように、ミシンの糸調子装置１は、ミシンの各糸の糸張力を一つのステッピングモータにより同時に調整する糸張力調整機構１０と、各糸の張力を手動操作で個別に微調節する糸張力微調整機構３０と、糸張力微調整機構３０により各糸に付与した張力を基準値に復帰させるリセット機構５０と、を備えている。
【００２１】
（糸張力調整機構）
図１〜図３に示すように、糸張力調整機構１０は、土台Ｆに設けられたステッピングモータ１１と、ステッピングモータ１１の出力軸に設けられ、かかる出力軸と共に回転するモータギヤ１２と、このモータギヤ１２に噛み合うように設けられた減速ギヤ１３と、減速ギヤ１３に形成されたカム部１３ａに当接するように設けられた糸張力調整カムギヤ１４と、を備えている。
糸張力調整カムギヤ１４は、回転軸となる糸張力調整カム軸１５により軸支されている。糸張力調整カム軸１５は、土台Ｆに支持されている。糸張力調整カム軸１５には、各糸に対応する複数の糸張力調整カム１６が設けられている。糸張力調整カム１６には、各糸に付与する張力に応じたカム面が形成されている。すなわち、糸張力調整カム１６のカム面は、糸張力調整カム軸１５の軸線方向の高さが各糸に付与する張力に応じて異なる高さとなるように形成されている。従って、糸張力調整カム１６は、糸張力調整バネ２４（後述する）の高さを調整する高さ調整部材として機能する。糸張力調整カム軸１５の一端部には、後述するリセットギヤ１７が設けられている。
【００２２】
土台Ｆには、糸張力調整カム軸１５に対して平行に糸調子軸２１が設けられている。糸調子軸２１には、糸張力調整カム１６に当接するバネ受け部材２２が各糸張力調整カム１６に対応して設けられている。バネ受け部材２２は、円筒状に形成されており、その両端部が拡径された形状とされている。バネ受け部材２２には、糸張力調整カム２２に当接する当接突起２２ａが形成されている。糸調子軸２１には、土台Ｆとバネ受け部材２２の一端部との間に付勢バネ２３が設けられている。付勢バネ２３は、圧縮された状態でバネ受け部材２２が設けられており、付勢バネ２３はバネ受け部材２２をその復元力により押圧している。すなわち糸張力調整カム１６は、付勢バネ２３の付勢力により突起２２ａから押圧されている。
【００２３】
バネ受け部材２２の他端部には、糸張力調整バネ２４を間に挟んで皿押さえブロック２５が設けられている。皿押さえブロック２５には、糸に張力を付与するための皿２６が設けられている。皿押さえブロック２５に対向する位置には、調整ブロック２７が設けられている。調整ブロック２７には、皿２６に対向する位置に皿２８が設けられている。すなわち、皿２６と皿２８によって糸に張力をかけることができる。
【００２４】
（糸張力微調整機構）
図１〜図３に示すように、糸張力微調整機構３０は、糸調子軸２１に設けられ、土台Ｆに対して糸調子軸２１の軸線方向に移動可能に設けられた微調整ギヤ３１を備えている。微調整ギヤ３１には、土台Ｆに形成されたネジ溝に螺合するネジ溝３１ａが形成されており、微調整ギヤ３１を糸調子軸２１回りに回転させることにより、糸調子軸２１の軸線方向に移動する。微調整ギヤ３１は、調整ブロック２７に対して回転可能であるが、調整ブロック２７に対する糸調子軸２１の軸線方向への移動は規制されるように調整ブロック２７に取り付けられている。従って、微調整ギヤ３１の回転により調整ブロック２７は微調整ギヤ３１と共に糸調子軸２１の軸線方向に沿って移動することができるが、調整ブロック２７から微調整ギヤ３１が離脱することは規制されている。微調整ギヤ３１には、減速ギヤ（図示しない）を介して微調整ダイヤル３２が接続されている。すなわち、微調整ダイヤル３２を手動操作により回転させることで微調整ギヤ３１を回転させることができる。
微調整ダイヤル３２は、土台Ｆに回転自在に設けられている。微調整ダイヤル３２は、円筒の一部が切り欠かれた断面視弧状に形成されている。微調整ダイヤル３２は、当該微調整ダイヤル３２がリセット機構５０によりリセットされた位置にある場合に、微調整ダイヤル３２に形成されたリセットレバー５３，５４との当接面が、リセットレバー５３，５４の動作範囲内に位置しない形状に形成されている。
【００２５】
（リセット機構）
図１〜図３に示すように、リセット機構５０は、土台Ｆに設けられたリセットカム軸５１と、リセットカム軸５１に軸支されたリセットカム５２と、リセットカム５２の外縁を二方向から挟み込むようにそれぞれ設けられ、互いの一端部が回転自在に連結されると共に他端部が微調整ダイヤル３２に係合されたリセットレバー５３，５４と、を備えている。
リセットカム軸５１は、糸張力調整カム軸１５及び糸調子軸２１に平行に設けられている。リセットカム軸５１の一端部には、リセットギヤ１７に噛み合うリセットギヤ５５が設けられている。リセットギヤ５５は、リセットギヤ１７に対して、例えば、４倍の歯数を有しており、ギヤ比が４となるように構成されている。リセットカム軸５１は、リセットギヤ１７，５５を介して糸張力調整機構１０の糸張力調整カム軸１５に連結されているので、糸張力調整カム軸１５の回転により、リセットカム軸５１も減速された状態で回転する。すなわち、リセットギヤ１７及びリセットギヤ５５を備えることにより減速機構４０が構成される。
【００２６】
図４〜図６に示すように、リセットカム軸５１には、外側に向けて突出する突起部５２ａを有するリセットカム５２が設けられている。リセットカム５２は、正面視略円板状に形成され、リセットカム軸５１を挟んで対向する位置には、突起部５２ａが形成されている。
リセットレバー５３は、リセットカム５２を上方から覆うと共に微調整ダイヤル３２に向けて延びるように形成されている。リセットレバー５３のうち、リセットカム５２に対向する外縁には、リセットカム５２の外縁に当接する突起部５３ａが形成されている。リセットレバー５４は、リセットカム５２を下方から覆うと共に微調整ダイヤル３２に向けて延びるように形成されている。リセットレバー５４のうち、リセットカム５２に対向する外縁には、リセットカム５２の外縁に当接する突起部５４ａが形成されている。
突起部５３ａ，５４ａは、常にリセットカム５２の外縁に当接しており、リセットカム５２の回転に伴い、リセットカム５２の外縁の凹凸に追随して移動する。これにより、リセットレバー５３，５４が互いに接離するようになっている。
リセットレバー５３，５４の一端部は、軸部材５６及びＥリング５７によって回転自在に連結されている。リセットレバー５３，５４の他端部は、微調整ダイヤル３２の切り欠き面に形成された当接面３２ａに接触するように形成されている。リセットレバー５３とリセットレバー５４は、一端部と他端部の間でバネ５８によって連結されており、互いの他端部が接近する方向に付勢されている。
【００２７】
図４に示すように、リセットレバー５３，５４の突起部５３ａ，５４ａはリセットカム５２の外縁に当接するように設けられているため、図５に示すように、リセットカム５２が回転してリセットカム５２の突起部５２ａとリセットレバー５３，５４の突起部５３ａ，５４ａが対向するように当接したときに突起部５２ａ，５３ａ，５４ａの高さの分だけリセットレバー５３，５４が一端部を中心に回転する。
また、リセットギヤ１７とリセットギヤ５５のギヤ比が４であるため、リセットギヤ１７が１回転する間にリセットギヤ５５は１／４回転することになる。これを利用することにより、糸張力調整機構１０と糸張力微調整機構３０とを常に同時に連動させないようにしている。
【００２８】
図６を用いて説明すると、糸調子装置１の動作前は、リセットカム５２の突起部５２ａをそれぞれＰ１，Ｐ３に向くように配置し、この状態から糸調子装置１を動作させる場合には、糸張力調整カム軸１５が２回転目（Ｐ２から回転し始めるとき）及び４回転目（Ｐ４から回転し始めるとき）に入るときにリセットカム５２の突起部５２ａとリセットレバー５３，５４の突起部５３ａ，５４ａとが当接するのでリセットレバー５３，５４がバネ５８の付勢力に抗して回転する。リセットレバー５３，５４の回転によりリセットレバー５３，５４の他端部が互いに離間する方向に回転して微調整ダイヤル３２の当接部３２ａに当接することにより、微調整ダイヤル３２を回転させる。この一連の動作によって微調整ダイヤル３２により糸にかけた張力を基準値に復帰させることができる。
【００２９】
従って、糸張力調整機構１０の糸張力調整カム軸１５を奇数回数だけ回転させたときには、糸に狙いの張力を付与することができると共に微調整ダイヤル３２によって付与された張力は基準値に復帰せず、糸張力調整カム軸１５を偶数回数だけ回転させたときには、糸張力調整機構１０による張力の付与を中断して微調整ダイヤル３２により付与された張力を基準値に復帰させる（リセット）ことができる。言い換えると、糸張力調整機構１０のみで各糸に張力を付与する動作と、糸張力調整機構１０の動作時に当該糸張力調整機構１０の動作に連動して糸張力微調整機構３０による各糸の張力をリセット機構５０により基準値に復帰させる動作と、を交互に行うことになる。
【００３０】
＜実施形態の動作説明＞
次に、糸調子装置１の動作について説明する。
ステッピングモータ１１を駆動させると、その駆動はモータギヤ１２、減速ギヤ１３、糸張力調整カムギヤ１４を介して糸張力調整カム軸１５を回転させる。糸張力調整カム軸１５の回転により、糸張力調整カム１６も回転し、当接突起２２ａに当接する糸張力調整カム１６のカム形状によりバネ受け部材２２は、糸調子軸２１の軸線方向に沿って移動する。バネ受け部材２２の移動により、皿押さえブロック２５は、糸張力調整バネ２４から作用する付勢力が変化するので皿２６と皿２８との間の付勢力も変化し、糸に付与する張力を変えることができる。また、微調整ダイヤル３２を回転操作することにより、調整ブロック２７を糸調子軸２１に沿って移動させることができるので、糸張力調整ばね２４の高さを変化させ、更に皿２６と皿２８との間の付勢力も変化させ、糸に付与する張力の微調整を行うことができる。
この１回転目においては、糸張力調整カム軸１５の回転はリセットギヤ１７，５５を介してリセットカム軸５１に伝達される。そのため、リセットカム軸５１も回転し、リセットカム軸５１に設けられているリセットカム５２も回転する。
糸張力調整カム軸１５の１回転目においては、リセットカム５２の突起部５２ａとリセットレバー５３，５４の突起部５３ａ，５４ａは当接しないので、リセットレバー５３，５４は回転せず、微調整ダイヤル３２も動かない。よって、微調整ダイヤル３２により糸に付与された張力は基準値に復帰しない。
【００３１】
しかし、ステッピングモータ１１をさらに駆動させ、糸張力調整カム軸１５が２回転目に入ろうとすると、リセットカム５２の突起部５２ａとリセットレバー５３，５４の突起部５３ａ，５４ａは当接し、リセットレバー５３，５４は、一端部の軸部材５６を中心に互いに離間するように回転する。これにより、リセットレバー５３，５４の他端部５３ｂ、５４ｂが微調整ダイヤル３２を押圧し、微調整ダイヤル３２は、原点位置に戻る方向に回転し、微調整ダイヤル３２によって糸に付与されていた張力は基準値に復帰する。
ステッピングモータ１１をさらに駆動させ、糸張力調整カム軸１５が３回転目に入ろうとすると、リセットカム５２の突起部５２ａとリセットレバー５３，５４の突起部５３ａ，５４ａは当接しないので、リセットレバー５３，５４は回転せず、微調整ダイヤル３２も動かない。よって、微調整ダイヤル３２により糸に付与された張力は基準値に復帰しない。
そして、ステッピングモータ１１をさらに駆動させ、糸張力調整カム軸１５が４回転目に入ろうとすると、リセットカム５２の突起部５２ａとリセットレバー５３，５４の突起部５３ａ，５４ａは当接し、リセットレバー５３，５４は、一端部の軸部材５６を中心に互いに離間するように回転する。これにより、リセットレバー５３，５４の他端部５３ｂ，５４ｂが微調整ダイヤル３２を押圧し、微調整ダイヤル３２は、原点位置に戻る方向に回転し、微調整ダイヤル３２によって糸に付与されていた張力は基準値に復帰する。
以下、縫製が終了するまで上記の動作を繰り返す。
【００３２】
＜実施形態の作用効果＞
このように、ミシンの糸調子装置１によれば、糸張力調整機構１０のみで各糸に張力を付与する動作を行う場合には、糸張力調整機構１０と糸張力微調整機構３０とが非連動となり、糸張力調整機構１０の動作時に当該糸張力調整機構１０の動作に連動して糸張力微調整機構３０による各糸の張力をリセット機構５０により基準値に復帰させる動作を行う場合には、糸張力調整機構１０と糸張力微調整機構３０とが連動となる。
そして、これらの動作を交互に行うことにより、糸張力調整機構１０と糸張力微調整機構３０との連動・非連動を任意に選択することができる。
【００３３】
また、糸張力調整機構１０の動作によりリセットカム軸５１が回転すると、リセットカム５２も回転する。ここで、リセットカム５２の外縁にはリセットレバー５３，５４が設けられているので、リセットカム５２の突起部５２ａがリセットレバー５３，５４に触れると、リセットレバー５３，５４は一端部の軸部材５６を中心に回転し、微調整ダイヤル３２を動かして糸張力微調整機構３０による各糸の張力を基準値に復帰させる。
これにより、リセットカム５２の突起部５２ａがリセットレバー５３，５４に当接したときにだけリセットレバー５３，５４を動かして微調整ダイヤル３２を動かすことができる。よって、突起部５２ａの位置を設定することにより、糸張力調整機構１０と糸張力微調整機構３０との連動・非連動を任意に選択することができる。
【００３４】
また、減速機構４０は糸張力調整機構１０の駆動を減速してリセットカム軸５１に減速された駆動を伝達するため、糸張力調整機構１０とリセットカム軸５１を同一の軸で駆動させる必要がなくなり、糸張力調整機構１０の動作トルクを軽減することができ、操作性を向上することができる。
【００３５】
＜その他＞
なお、本発明は上記実施形態に限られるものではない。例えば、減速機構としては、図１〜図３に示すものに限らず、図７に示すように、糸張力調整カム軸１５に小さなプーリ４１を設け、リセットカム軸５１に大きなプーリ４２を設け、これらのプーリ４１，４２をベルト４３で連結するように構成してもよい。このような構成としても、糸張力調整カム軸１５の回転速度をリセットカム軸５１の回転速度の１／４となるようにプーリ４１，４２を設計しておくことは勿論である。
【００３６】
また、図８（ａ）に示すように、リセットレバー６１，６２をそのほぼ中央で回転自在に連結し、リセットレバー６１，６２の一端部に爪状の突起部６１ａ，６２ａを形成し、その突起部６１ａ，６２ａがリセットカム５２の外縁に当接するように構成してもよい。この場合においても、図８（ｂ）に示すように、リセットカム５２の突起部５２ａとリセットレバー６１，６２の突起部６１ａ，６２ａとが当接する位置にあるときに、リセットレバー６１，６２が移動して微調整ダイヤル３２に当接し、微調整ダイヤル３２を原点位置に復帰させることができる。なお、微調整ダイヤル３２に形成されたリセットレバーとの当接面３２ａは、微調整ダイヤル３２がリセットされた位置にある場合に、レバーの動作範囲内に位置しない形状とする。
【００３７】
また、図９（ａ）に示すように、リセットレバー６３，６４をその一端部で回転自在に連結し、リセットレバー６３，６４の長手方向の中央付近に爪状の突起部６３ａ，６４ａを形成し、その突起部６３ａ，６４ａがリセットカム７１の外縁に当接するように構成してもよい。この場合においても、図９（ｂ）に示すように、リセットカム７１に形成された凹部７１ａとリセットレバー６３，６４の突起部６３ａ，６４ａとが当接する位置にあるときに、リセットレバー６３，６４が移動して微調整ダイヤル３２に当接し、微調整ダイヤル３２を元の位置に復帰させることができる。なお、微調整ダイヤル３２に形成されたリセットレバーとの当接面３２ａは、微調整ダイヤル３２がリセットされた位置にある場合に、レバーの動作範囲内に位置しない形状とする。また、リセットカム７１には突起部の代わりに凹部７１ａが形成されているので、リセットレバー６３，６４の他端部は、交差させておくことが必要である。
【００３８】
また、図１０（ａ）に示すように、リセットレバー６５，６６をその一端部で回転自在に連結し、リセットレバー６５，６６の長手方向の中央付近に爪状の突起部６５ａ，６６ａを形成し、その突起部６５ａ，６６ａがリセットカム７２の外縁に当接するように構成してもよい。リセットカム７２は、外縁に２箇所の凸部が形成されている。この場合においても、図１０（ｂ）に示すように、リセットカム７２に形成された凸部７２ａとリセットレバー６５，６６の突起部６５ａ，６６ａとが当接する位置にあるときに、リセットレバー６５，６６が移動して微調整ダイヤル３２に当接し、微調整ダイヤル３２を原点位置に復帰させることができる。逆に、リセットカム７２に形成された凹部７２ｂとリセットレバー６５，６６の突起部６５ａ，６６ａとが当接する位置にあるときに、リセットレバー６５，６６は移動せず、微調整ダイヤル３２を移動させることはない。なお、微調整ダイヤル３２に形成されたリセットレバーとの当接面３２ａは、微調整ダイヤル３２がリセットされた位置にある場合に、レバーの動作範囲内に位置しない形状とする。
【００３９】
また、図１１（ａ）に示すように、図８に示す例と同形状のリセットレバー６１，６２をそのほぼ中央で回転自在に連結し、リセットレバー６１，６２の一端部に爪状の突起部６１ａ，６２ａを形成し、その突起部６１ａ，６２ａが図１０に示す例と同形状のリセットカム７２の外縁に当接するように構成してもよい。リセットカム７２は、外縁に２箇所の凸部が形成されている。この場合においても、図１１（ｂ）に示すように、リセットカム７２に形成された凸部７２ａとリセットレバー６１，６２の突起部６１ａ，６２ａとが当接する位置にあるときに、リセットレバー６１，６２が移動して微調整ダイヤル３２に当接し、微調整ダイヤル３２を元の位置に復帰させることができる。逆に、リセットカム７２に形成された凹部７２ｂとリセットレバー６１，６２の突起部６１ａ，６２ａとが当接する位置にあるときに、リセットレバー６１，６２は移動せず、微調整ダイヤル３２を移動させることはない。なお、微調整ダイヤル３２に形成されたリセットレバーとの当接面３２ａは、微調整ダイヤル３２がリセットされた位置にある場合に、レバーの動作範囲内に位置しない形状とする。
【００４０】
また、図１２（ａ）に示すように、図９に示す例と同形状のリセットレバー６３，６４をその一端部で回転自在に連結し、リセットレバー６３，６４の中央付近に爪状の突起部６３ａ，６４ａを形成し、その突起部６３ａ，６４ａが図１０に示す例と同形状のリセットカム７２の外縁に当接するように構成してもよい。リセットカム７２は、外縁に２箇所の凸部が形成されている。この場合においても、図１２（ｂ）に示すように、リセットカム７２に形成された凹部７２ｂとリセットレバー６３，６４の突起部６３ａ，６４ａとが当接する位置にあるときに、リセットレバー６３，６４が移動して微調整ダイヤル３２に当接し、微調整ダイヤル３２を元の位置に復帰させることができる。逆に、リセットカム７２に形成された凸部７２ａとリセットレバー６３，６４の突起部６３ａ，６４ａとが当接する位置にあるときに、リセットレバー６３，６４は移動せず、微調整ダイヤル３２を移動させることはない。なお、微調整ダイヤル３２に形成されたリセットレバーとの当接面３２ａは、微調整ダイヤル３２がリセットされた位置にある場合に、レバーの動作範囲内に位置しない形状とする。
【図面の簡単な説明】
【００４１】
【図１】ミシンの糸調子装置の斜視図。
【図２】ミシンの糸調子装置の側面図。
【図３】図２におけるＡ−Ａ断面図。
【図４】図３におけるＢ−Ｂ断面図であり、微調整ダイヤルの動作前の状態を示す図。
【図５】図３におけるＢ−Ｂ断面図であり、微調整ダイヤルの動作後の状態を示す図。
【図６】図３におけるＢ−Ｂ断面図であり、リセット機構の動作を説明する図。
【図７】減速機構の他の例を示す正面図。
【図８】（ａ）はリセット機構の他の例における張力を復帰させる前の状態を示す模式図、（ｂ）は張力解除後の状態を示す模式図。
【図９】（ａ）はリセット機構の他の例における張力を復帰させる前の状態を示す模式図、（ｂ）は張力解除後の状態を示す模式図。
【図１０】（ａ）はリセット機構の他の例における張力を復帰させる前の状態を示す模式図、（ｂ）は張力解除後の状態を示す模式図。
【図１１】（ａ）はリセット機構の他の例における張力を復帰させる前の状態を示す模式図、（ｂ）は張力解除後の状態を示す模式図。
【図１２】（ａ）はリセット機構の他の例における張力を復帰させる前の状態を示す模式図、（ｂ）は張力解除後の状態を示す模式図。
【図１３】（ａ）は従来の糸調子装置の構成を示す平面図、（ｂ）は（ａ）におけるＸ−Ｘ断面図。
【符号の説明】
【００４２】
１  ミシンの糸調子装置
１０  糸張力調整機構
１１  ステッピングモータ（駆動源）
３０  糸張力微調整機構
３２  微調整ダイヤル
４０  減速機構
５０  リセット機構
５１  リセットカム軸（カム軸）
５２  リセットカム
５２ａ  突起部
５３  リセットレバー
５３ａ  突起部
５４  リセットレバー
５４ａ  突起部
【図１】
0005427354.tif 000002
【図２】
0005427354.tif 000003
【図３】
0005427354.tif 000004
【図４】
0005427354.tif 000005
【図５】
0005427354.tif 000006
【図６】
0005427354.tif 000007
【図７】
0005427354.tif 000008
【図８】
0005427354.tif 000009
【図９】
0005427354.tif 000010
【図１０】
0005427354.tif 000011
【図１１】
0005427354.tif 000012
【図１２】
0005427354.tif 000013
【図１３】
0005427354.tif 000014